(57)【特許請求の範囲】
【請求項１】
画像が形成される画像形成部と、
前記画像形成部で形成された画像が第１転写位置で転写され、循環移動して該画像を第２転写位置に搬送する環状の転写体と、
前記第２転写位置へ記録媒体を搬送する搬送部材と、
前記転写体が第２転写位置に搬送した画像を、前記搬送部材が第２転写位置へ搬送した記録媒体へ転写する転写部材と、
前記搬送部材と前記転写部材との間に設けられ、前記記録媒体の非転写面に対面して該記録媒体を案内する第１案内部材と、
前記記録媒体の幅方向を回転軸として回転可能に前記搬送部材と前記転写部材との間に設けられ、前記記録媒体の転写面に対面して該記録媒体を案内し、回転中心に対する記録媒体の搬送方向下流側部分が前記転写体に沿った第１位置と、回転中心に対する記録媒体の搬送方向上流側部分が前記記録媒体に近づく第２位置との間で回転する第２案内部材と、
を備え、
前記第２案内部材における前記搬送方向下流側部分及び前記搬送方向上流側部分は一体に回転する、
画像形成装置。
【請求項２】
前記搬送部材と前記第２案内部材との間に設けられ、前記搬送部材から搬送される記録媒体の先端が前記第２案内部材に接触して前記第２案内部材に沿って案内されるように、該記録媒体を搬送方向下流側へ案内する案内部
を備える請求項１に記載の画像形成装置。
【請求項３】
前記搬送部材と前記第２案内部材との間に設けられ、前記搬送部材から搬送される記録媒体を、前記第２転写位置の手前で前記転写体に近づく方向へ案内する案内部を備え、
前記第２案内部材は、前記記録媒体の先端が前記第２転写位置へ突入した後であって、前記記録媒体の後端が前記案内部を抜ける前に、前記第１位置から前記第２位置に回転する請求項１に記載の画像形成装置。
【請求項４】
前記第１案内部材は、前記第２案内部材の回転に伴って、同一方向へ回転する請求項１〜３のいずれか１項に記載の画像形成装置。
【請求項５】
前記第２案内部材における前記搬送方向の上流端が、前記第２案内部材によって案内される前記記録媒体に近づく側に向くように、前記第２案内部材が屈曲している、
請求項１〜４のいずれか１項に記載の画像形成装置。
【発明の詳細な説明】
【技術分野】
【０００１】
本発明は、画像形成装置に関する。
【背景技術】
【０００２】
特許文献１には、搬送されてくる単票媒体の先端を係止する係止部材と、前記係止部材に向けて単票用紙を送り込む第１と第２のローラ及び送り込まれた単票用紙の後端を挟持して排出するように前記第２ローラと当接する第３ローラを含む搬送手段と、前記単票用紙が前記係止部材に向けて送り込まれる際に当該単票用紙をガイドするガイド部材と、を備えてなる紙葉反転機構に関し、カールした単票用紙の場合でもジャムが生じる事が内容にすることを目的とし、前記ガイド部材は、前記単票用紙の先端が前記係止部材に係止された状態で、前記単票用紙の後端が前記第１と第２のローラ間から前記第２と第３のローラ間に向けて移動する際の前記単票用紙の撓みに応じて撓むことが可能な可撓性歩合を備えて成る構成が開示されている。
【０００３】
特許文献２には、レジストローラＲ５１，Ｒ５２とレジスト前ローラＲ４１，Ｒ４２との間に用紙搬送路を形成する上ペーパーガイド８１及び下ペーパーガイド８２からなるガイド部材８０が配置されており、上ペーパーガイド８１が印字動作中において揺動可能に支持されている。すなわち、上ペーパーガイド８１の略中央部が、現像器１６のガイドレール１６ａに吊り下げ部材８５によって吊り下げ支持されることで、上ペーパーガイド８１が揺動可能に支持されている構成が開示されている。
【先行技術文献】
【特許文献】
【０００４】
【特許文献１】特開平３−２４９０５７号公報
【特許文献２】特開２００７−３２６６７２号公報
【発明の概要】
【発明が解決しようとする課題】
【０００５】
本発明は、記録媒体の先端が第２転写位置へ突入する際の衝撃を低減すると共に、記録媒体の後端の跳ねを抑制することを課題とする。
【課題を解決するための手段】
【０００６】
請求項１の発明は、画像が形成される画像形成部と、前記画像形成部で形成された画像が第１転写位置で転写され、循環移動して該画像を第２転写位置に搬送する環状の転写体と、前記第２転写位置へ記録媒体を搬送する搬送部材と、前記転写体が第２転写位置に搬送した画像を、前記搬送部材が第２転写位置へ搬送した記録媒体へ転写する転写部材と、前記搬送部材と前記転写部材との間に設けられ、前記記録媒体の非転写面に対面して該記録媒体を案内する第１案内部材と、前記記録媒体の幅方向を回転軸として回転可能に前記搬送部材と前記転写部材との間に設けられ、前記記録媒体の転写面に対面して該記録媒体を案内し、回転中心に対する記録媒体の搬送方向下流側部分が前記転写体に沿った第１位置と、回転中心に対する記録媒体の搬送方向上流側部分が前記記録媒体に近づく第２位置との間で回転する第２案内部材と、を備える画像形成装置である。
【０００７】
請求項３の発明は、前記搬送部材と前記第２案内部材との間に設けられ、前記搬送部材から搬送される記録媒体を、前記第２転写位置の手前で前記転写体に近づく方向へ案内する案内部を備え、前記第２案内部材は、前記記録媒体の先端が前記第２転写位置へ突入した後であって、前記記録媒体の後端が前記案内部を抜ける前に、前記第１位置から前記第２位置に回転する。
【０００８】
請求項４の発明は、前記第１案内部材は、前記第２案内部材の回転に伴って、同一方向へ回転する。
【発明の効果】
【０００９】
本発明の請求項１の構成によれば、第２案内部材が固定された構成に比べ、記録媒体の先端が第２転写位置へ突入する際の衝撃を低減すると共に、記録媒体の後端の跳ねを抑制する。
【００１０】
本発明の請求項３の構成によれば、本構成を備えない構成に比べ、記録媒体の後端の跳ねを効果的に抑制する。
【００１１】
本発明の請求項４の構成によれば、第１案内部材が固定された構成に比べ、第１案内部材と記第２案内部材との間が狭くなることによる記録媒体の詰まりを低減できる。
【図面の簡単な説明】
【００１２】
【図１】本実施形態に係る画像形成装置の構成を示す概略図である。
【図２】本実施形態に係る画像形成ユニットの構成を示す概略図である。
【図３】レジロールと第２転写ロールとの間における装置構成を示す概略図である。
【図４】可動案内部材を回転されるための機構を示す概略図である。
【図５】図３に示す構成において、可動案内部材が第２位置に位置する場合を示す概略図である。
【図６】変形例に係る下流側案内部の構成を示す概略図である。
【図７】図６に示す変形例において、可動案内部材が第１位置に位置する場合を示す概略図である。
【図８】図６に示す変形例において、可動案内部材が第１位置に位置する場合を示す概略図である。
【発明を実施するための形態】
【００１３】
以下に、本発明に係る実施形態の一例を図面に基づき説明する。
（本実施形態に係る画像形成装置の構成）
まず、本実施形態に係る画像形成装置の構成を説明する。図１は、本実施形態に係る画像形成装置の構成を示す概略図である。
【００１４】
本実施形態に係る画像形成装置１０は、カラー画像又は白黒画像を形成する装置であり、図１に示すように、水平方向一側（図１における左側）部分を構成する第１筐体１０Ａと、第１筐体１０Ａに分割可能に接続され水平方向他側（図１における右側）部分を構成する第２筐体１０Ｂと、を備えている。
【００１５】
第２筐体１０Ｂの上部には、コンピュータ等の外部装置から送られてくる画像データに画像処理を施す画像信号処理部１３が設けられている。
【００１６】
一方、第１筐体１０Ａの上部には、第１特別色（Ｖ）、第２特別色（Ｗ）、イエロー（Ｙ）、マゼンタ（Ｍ）、シアン（Ｃ）、ブラック（Ｋ）の各トナーを収容するトナーカートリッジ１４Ｖ、１４Ｗ、１４Ｙ、１４Ｍ、１４Ｃ、１４Ｋが水平方向に沿って交換可能に設けられている。
【００１７】
なお、第１特別色及び第２特別色としては、イエロー、マゼンタ、シアン、ブラック以外の色（透明を含む）から適宜選択される。また、以後の説明では、各構成部品について第１特別色（Ｖ）、第２特別色（Ｗ）、イエロー（Ｙ）、マゼンタ（Ｍ）、シアン（Ｃ）、ブラック（Ｋ）を区別する場合は、符号の後にＶ、Ｗ、Ｙ、Ｍ、Ｃ、Ｋのいずれかを付して説明し、第１特別色（Ｖ）、第２特別色（Ｗ）、イエロー（Ｙ）、マゼンタ（Ｍ）、シアン（Ｃ）、ブラック（Ｋ）を区別しない場合は、Ｖ、Ｗ、Ｙ、Ｍ、Ｃ、Ｋを省略する。
【００１８】
また、トナーカートリッジ１４の下側には、各色のトナーに対応する６つの画像形成ユニット１６（画像形成部の一例）が、各トナーカートリッジ１４と対応するように水平方向に沿って設けられている。各トナーカートリッジ１４と画像形成ユニット１６との間には、露光ユニット４０が画像形成ユニット１６毎に設けられている。
【００１９】
露光ユニット４０は、前述した画像信号処理部１３によって画像処理を施された画像データを画像信号処理部１３から受け取り、この画像データに応じて変調した露光光Ｌ（図２参照）を後述の感光体１８（図２参照）へ照射するように構成されている。
【００２０】
各画像形成ユニット１６は、図２に示すように、一方向（図２における時計回り方向）に回転駆動される感光体１８を備えている。各露光ユニット４０から各感光体１８へ露光光Ｌが照射されることにより、各感光体１８には静電潜像が形成される。
【００２１】
各感光体１８の周囲には、感光体１８を帯電する帯電装置の一例としてのコロナ放電方式（非接触帯電方式）のスコロトロン帯電器２０と、露光ユニット４０によって感光体１８に形成された静電潜像を現像剤で現像する現像装置２２と、転写後の感光体１８に残留する現像剤を除去する除去部材の一例としてのブレード２４と、転写後の感光体１８に光を照射して除電を行う除電装置２６が設けられている。
【００２２】
スコロトロン帯電器２０、現像装置２２、ブレード２４、除電装置２６は、感光体１８の表面と対向して、感光体１８の回転方向上流側から下流側へ向けてこの順番で配置されている。
【００２３】
現像装置２２は、トナーを含んだ現像剤Ｇを収容する現像剤収容部材２２Ａと、現像剤収容部材２２Ａに収容された現像剤Ｇを感光体１８に供給する現像ロール２２Ｂを含んで構成されている。現像剤収容部材２２Ａは、トナーカートリッジ１４（図１参照）とトナー供給路（図示省略）を通して接続されており、トナーカートリッジ１４からトナーが供給されるようになっている。
【００２４】
図１に示すように、各画像形成ユニット１６の下側には、転写部３２が設けられている。転写部３２は、各感光体１８と接触する環状の中間転写ベルト３４（転写体の一例）と、各感光体１８に形成されたトナー画像を中間転写ベルト３４に多重転写させる第１転写ロール３６とを含んで構成されている。
【００２５】
中間転写ベルト３４は、図示しないモータで駆動される駆動ロール３８と、中間転写ベルト３４に張力を付与する張力付与ロール４１と、後述する第２転写ロール６２に対向する対向ロール４２と、複数の巻掛ロール４４とに巻き掛けられており、駆動ロール３８により、一方向（図１における反時計回り方向）に循環駆動されるようになっている。
【００２６】
各第１転写ロール３６は、中間転写ベルト３４を挟んでそれぞれの各画像形成ユニット１６の感光体１８と対向配置されている。第１転写ロール３６と感光体１８との間の位置が第１転写位置Ｔ１となる。また、第１転写ロール３６は、給電ユニット（図示省略）によって、トナー極性とは逆極性の転写バイアス電圧が印加されるようになっている。この構成により、感光体１８に形成されたトナー画像が、第１転写位置Ｔ１で中間転写ベルト３４に転写されるようになっている。
【００２７】
中間転写ベルト３４を挟んだ駆動ロール３８の反対側には、ブレードを中間転写ベルト３４に接触させて、中間転写ベルト３４上の残留トナーや紙粉等を除去する除去装置４６が設けられている。
【００２８】
転写部３２の下方には、用紙等の記録媒体が収容される記録媒体収容部４８が水平方向に沿って２個設けられている。
【００２９】
各記録媒体収容部４８は、第１筐体１０Ａから引き出し自在とされている。各記録媒体収容部４８の一端側（図１における右側）の上方には、各記録媒体収容部４８から記録媒体Ｐを搬送経路６０へ送り出す送出ロール５２が設けられている。
【００３０】
各記録媒体収容部４８内には、記録媒体Ｐが載せられる底板５０が設けられている。この底板５０は、記録媒体収容部４８が第１筐体１０Ａから引き出されると、図示せぬ制御手段の指示によって下降するようになっている。底板５０が下降することで、ユーザーが記録媒体Ｐを補充する空間が記録媒体収容部４８に形成される。
【００３１】
第１筐体１０Ａから引き出された記録媒体収容部４８を第１筐体１０Ａに装着すると、底板５０が、制御手段の指示によって上昇するようになっている。底板５０が上昇することで、底板５０に載せられた最上位の記録媒体Ｐと送出ロール５２とが当るようになっている。
【００３２】
送出ロール５２の記録媒体搬送方向下流側（以下、単に「下流側」という場合がある）には、記録媒体収容部４８から重なって送り出された記録媒体Ｐを一枚ずつに分離する分離ロール５６が設けられている。分離ロール５６の下流側には、記録媒体Ｐを搬送方向下流側に搬送する複数の搬送ロール５４が設けられている。
【００３３】
記録媒体収容部４８と転写部３２との間に設けられる搬送経路６０は、記録媒体収容部４８から送り出された記録媒体Ｐを第１折返部６０Ａで図１における左側に折り返し、さらに、第２折返部６０Ｂで図１における右側に折り返すように、第２転写ロール６２と対向ロール４２との間の第２転写位置Ｔ２へ延びている。第２転写位置Ｔ２の搬送方向上流側には、中間転写ベルト３４上のトナー画像の移動タイミングと記録媒体Ｐの搬送タイミングを合わせるための搬送ロール（レジロール）６４（搬送部材の一例）が設けられている。
【００３４】
第２転写ロール６２（転写部材の一例）は、給電部（図示省略）によって、トナー極性とは逆極性の転写バイアス電圧が印加されるようになっている。この構成により中間転写ベルト３４に多重転写された各色のトナー画像が、第２転写ロール６２によって、搬送経路６０に沿って搬送されてきた記録媒体Ｐに転写される構成となっている。なお、転写部材としては、転写ロールに限られず、ベルト体で構成された転写ベルトであってもよい。
【００３５】
搬送経路６０の第２折返部６０Ｂへ合流するように、第１筐体１０Ａの側面から延びる予備経路６６が設けられている。第１筐体１０Ａに隣接して配置される記録媒体収容部（図示省略）から送り出された記録媒体Ｐが予備経路６６を通って搬送経路６０に入り込むようになっている。
【００３６】
第２転写位置Ｔ２の下流側には、トナー画像が転写された記録媒体Ｐを第２筐体１０Ｂに向けて搬送する複数の搬送ベルト７０が第１筐体１０Ａに設けられ、搬送ベルト７０に搬送された記録媒体Ｐを下流側に搬送する搬送ベルト８０が第２筐体１０Ｂに設けられている。
【００３７】
複数の搬送ベルト７０及び搬送ベルト８０のそれぞれは、環状に形成されており、一対の巻掛ロール７２に巻き掛けられている。一対の巻掛ロール７２は、記録媒体Ｐの搬送方向上流側と下流側とにそれぞれ配置されており、一方が回転駆動することにより、搬送ベルト７０（搬送ベルト８０）を一方向（図１における時計回り方向）に循環移動させる。
【００３８】
搬送ベルト８０の下流側には、記録媒体Ｐに転写されたトナー画像を加熱して記録媒体Ｐに定着させる定着装置８２が設けられている。
【００３９】
定着装置８２は、定着ベルト８４と、定着ベルト８４に対して下側から接触するように配置された加圧ロール８８と、を備えている。定着ベルト８４と加圧ロール８８との間には、記録媒体Ｐを加圧加熱してトナー画像を定着させる定着部Ｎが形成されている。
【００４０】
定着ベルト８４は、環状に形成されており、駆動ロール８９及び従動ロール９０に巻き掛けられている。駆動ロール８９は、加圧ロール８８に対して上側から対向しており、従動ロール９０は、駆動ロール８９よりも上側に配置されている。
【００４１】
駆動ロール８９及び従動ロール９０は、それぞれに、ハロゲンヒータ等の加熱部が内蔵されている。これにより、定着ベルト８４が加熱される。
【００４２】
図１に示すように、定着装置８２の下流側には、定着装置８２から送り出された記録媒体Ｐを下流側へ搬送する搬送ベルト９９が設けられている。搬送ベルト９９は、搬送ベルト７０と同様に形成されている。
【００４３】
搬送ベルト９９の下流側には、定着装置８２によって加熱された記録媒体Ｐを搬送すると共にその記録媒体Ｐを冷却する冷却装置１００が設けられている。
【００４４】
冷却装置１００の下流側には、記録媒体Ｐを挟んで搬送し、記録媒体Ｐの湾曲（カール）を矯正する矯正装置１７０が設けられている。
【００４５】
矯正装置１７０の下流側には、記録媒体Ｐに定着されたトナー画像のトナー濃度欠陥、画像欠陥、画像位置欠陥等を検出する検出装置１８０が設けられている。
【００４６】
検出装置１８０では、光源から記録媒体Ｐへ出射され、記録媒体Ｐによって上方に反射された反射光をＣＣＤ（Charge Coupled Device）イメージセンサ等の検出素子で検出することにより、トナー濃度欠陥、画像欠陥、画像位置欠陥等を検出するようになっている。
【００４７】
検出装置１８０の下流側には、片面に画像が形成された記録媒体Ｐを第２筐体１０Ｂの側面に取り付けられた排出部１９６に排出する排出ロール１９８が設けられている。
【００４８】
一方、両面に画像を形成させる場合は、検出装置１８０から送出された記録媒体Ｐは、検出装置１８０の下流側に設けられた反転経路２０２に搬送されるようになっている。
【００４９】
反転経路２０２には、搬送経路６０から分岐する分岐パス２０２Ａと、分岐パス２０２Ａに沿って搬送される記録媒体Ｐを第１筐体１０Ａ側に向けて搬送する用紙搬送パス２０２Ｂと、用紙搬送パス２０２Ｂに沿って搬送される記録媒体Ｐを逆方向に向けて折返してスイッチバック搬送させて表裏を反転させる反転パス２０２Ｃが設けられている。
【００５０】
この構成により、反転パス２０２Ｃでスイッチバック搬送された記録媒体Ｐは、第１筐体１０Ａに向けて搬送され、さらに、記録媒体収容部４８の上方に設けられた搬送経路６０に入り込み、第２転写位置Ｔ２へ再度送り込まれるようになっている。
【００５１】
次に、画像形成装置１０の画像形成工程について説明する。
【００５２】
画像信号処理部１３で画像処理が施された画像データが、各露光ユニット４０に送られる。各露光ユニット４０では、画像データに応じて各露光光Ｌを出射して、スコロトロン帯電器２０によって帯電した各感光体１８に露光し、静電潜像が形成される。
【００５３】
図２に示すように、感光体１８に形成された静電潜像は、現像装置２２によって現像され、第１特別色（Ｖ）、第２特別色（Ｗ）、イエロー（Ｙ）、マゼンタ（Ｍ）、シアン（Ｃ）、ブラック（Ｋ）の各色のトナー画像が形成される。
【００５４】
図１に示すように、各画像形成ユニット１６Ｖ、１６Ｗ、１６Ｙ、１６Ｍ、１６Ｃ、１６Ｋの感光体２８に形成された各色のトナー画像は、６つの第１転写ロール３６Ｖ、３６Ｗ、３６Ｙ、３６Ｍ、３６Ｃ、３６Ｋによって、第１転写位置Ｔ１にて中間転写ベルト３４に順次多重転写される。
【００５５】
中間転写ベルト３４に多重転写された各色のトナー画像は、第２転写位置Ｔ２にて第２転写ロール６２によって、記録媒体収容部４８から搬送されてきた記録媒体Ｐ上に転写される。トナー画像が転写された記録媒体Ｐは、搬送ベルト７０によって第２筐体１０Ｂの内部に設けられた定着装置８２に向けて搬送される。
【００５６】
記録媒体Ｐ上の各色のトナー画像が定着装置８２により加熱・加圧されることで記録媒体Ｐに定着する。さらに、トナー画像が定着された記録媒体Ｐは、冷却装置１００を通過して冷却された後、矯正装置１７０に送り込まれ、記録媒体Ｐに生じた湾曲が矯正される。
【００５７】
湾曲が矯正された記録媒体Ｐは、検出装置１８０によって画像欠陥等が検出された後、排出ロール１９８によって排出部１９６に排出される。
【００５８】
一方、画像が形成されていない非画像面に画像を形成させる場合（両面印刷の場合）は、検出装置１８０を通過後に、記録媒体Ｐが反転経路２０２で反転され、記録媒体収容部４８の上方に設けられた搬送経路６０に送り込まれて、前述した手順で裏面にトナー画像が形成される。
【００５９】
（レジロール６４と第２転写ロール６２との間における装置構成）
次に、レジロール６４と第２転写ロール６２との間における装置構成について説明する。図３は、レジロール６４と第２転写ロール６２との間における装置構成を示す概略図である。
【００６０】
レジロール６４と第２転写ロール６２との間には、図３に示すように、レジロール６４から搬送される記録媒体Ｐを第２転写ロール６２へ向けて案内する案内部７４（以下、上流側案内部７４と称する）が設けられている。すなわち、上流側案内部７４は、レジロール６４に対する搬送方向下流側であって、かつ、第２転写ロール６２（第２転写位置Ｔ２）に対する搬送方向上流側に設けられている。なお、上流側案内部７４が請求項２に係る案内部に相当する。
【００６１】
上流側案内部７４は、レジロール６４から搬送される記録媒体Ｐの転写面（トナー画像が転写される面）に対面して記録媒体Ｐを案内する案内部材７６と、レジロール６４から搬送される記録媒体Ｐの非転写面（転写面の反対の面）に対面して記録媒体Ｐを案内する案内部材７８と、を有して構成されている。すなわち、上流側案内部７４では、案内部材７６と案内部材７８との間で記録媒体Ｐを通過させる構成となっており、案内部材７６及び案内部材７８によってその間に搬送経路６０（図１参照）が形成される。
【００６２】
案内部材７６の搬送方向下流端部７６Ａ及び案内部材７８の搬送方向下流端部７８Ａは、中間転写ベルト３４側（図３における右斜め上側）に向けられている。これにより、上流側案内部７４は、第２転写位置Ｔ２の手前で中間転写ベルト３４に近づく方向（図３における右斜め上方向）へ記録媒体Ｐを案内するようになっている。
【００６３】
なお、レジロール６４が記録媒体Ｐを搬送する方向も、第２転写位置Ｔ２の手前で中間転写ベルト３４に近づく方向（図３における右斜め上方向）を向いている。このため、本実施形態では、中間転写ベルト３４がトナー画像を第２転写位置Ｔ２へ搬送する搬送方向と、レジロール６４が記録媒体Ｐを第２転写位置Ｔ２へ搬送する搬送方向とが鋭角をなしている。
【００６４】
上流側案内部７４と第２転写ロール６２との間には、上流側案内部７４から搬送される記録媒体Ｐを第２転写ロール６２へ向けて案内する案内部９４（以下、下流側案内部９４と称する）が設けられている。すなわち、下流側案内部９４は、上流側案内部７４に対する搬送方向下流側であって、かつ、第２転写ロール６２（第２転写位置Ｔ２）に対する搬送方向上流側に設けられている。
【００６５】
下流側案内部９４は、上流側案内部７４から搬送される記録媒体Ｐの転写面（トナー画像が転写される面）に対面して記録媒体Ｐを案内する案内部材９６（以下、可動案内部材９６と称する）と、レジロール６４から搬送される記録媒体Ｐの非転写面（転写面の反対の面）に対面して記録媒体Ｐを案内する案内部材９８（以下、固定案内部材９８と称する）と、を有して構成されている。すなわち、下流側案内部９４では、可動案内部材９６と固定案内部材９８との間で記録媒体Ｐを通過させる構成となっており、可動案内部材９６及び固定案内部材９８によってその間に搬送経路６０（図１参照）が形成される。なお、固定案内部材９８が請求項１における第１案内部材に相当し、可動案内部材９６が請求項１における第２案内部材に相当する。
【００６６】
固定案内部材９８は、搬送方向と直交する幅方向（図３の紙面における奥行き方向）の両端部に設けられた固定部（図示省略）に固定されており、位置が変化しない構成となっている。固定案内部材９８は、搬送方向に沿った中間部９８Ｂで屈曲しており、中間部９８Ｂよりも搬送方向上流側の部分である上流部９８Ａ側が、中間転写ベルト３４から離れる方向（図３における下側）に沿って形成されている。固定案内部材９８における中間部９８Ｂよりも搬送方向下流側の部分である下流部９８Ｃは、対向ロール４２と第２転写ロール６２との間の第２転写位置Ｔ２に向けられている。なお、固定案内部材９８の下流部９８Ｃは、下流端部分において、中間転写ベルト３４から離れる方向（図３における下側）に折り曲げられている。
【００６７】
可動案内部材９６は、図４に示すように、搬送方向と直交する幅方向（図４の紙面における奥行き方向）の両端部に設けられた支持部６３に回転（揺動）可能に支持されており、当該幅方向を回転軸して回転することで変位可能とされている。支持部６３は、可動案内部材９６に対して固定案内部材９８とは反対側（図４における上側）に設けられた取付部６７に取り付けられている。
【００６８】
可動案内部材９６は、図３に示すように、搬送方向に沿った中間部９６Ｂで屈曲しており、中間部９６Ｂよりも搬送方向上流側の部分である上流部９６Ａが、中間転写ベルト３４から離れる方向（図３における下側）に向けられている。なお、可動案内部材９６の屈曲部（中間部９６Ｂ）は、回転中心Ａよりも搬送方向下流側に位置している。
【００６９】
可動案内部材９６における中間部９６Ｂよりも搬送方向下流側の部分である下流部９６Ｃは、対向ロール４２と第２転写ロール６２との間の第２転写位置Ｔ２に向けられている。
【００７０】
可動案内部材９６は、下流部９６Ｃが中間転写ベルト３４に沿った第１位置（図３に示す位置）と、上流部９６Ａが記録媒体Ｐに近づく第２位置（図５に示す位置）と、の間で回転可能に構成されている。
【００７１】
なお、可動案内部材９６の下流部９６Ｃは、図３に示すように、第１位置において、中間転写ベルト３４に平行又は、上流側案内部７４の案内方向よりも中間転写ベルト３４に対して平行に近づく向きとなっていればよい。
【００７２】
可動案内部材９６の上流部９６Ａは、第１位置において、第２位置よりも固定案内部材９８から離れており、固定案内部材９８との間隔（図３における上下方向の長さ）が、搬送方向上流に向かって広がっている。第１位置における可動案内部材９６と固定案内部材９８との搬送方向上流端における間隔は、案内部材７６と案内部材７８との搬送方向下流端における間隔よりも広くされている。
【００７３】
可動案内部材９６の下流部９６Ｃは、図５に示すように、第２位置において、第１位置よりも中間転写ベルト３４に近づくと共に固定案内部材９８から離れており、固定案内部材９８との間隔が広がっている。なお、第２位置における可動案内部材９６の下流部９６Ｃは、中間転写ベルト３４との間に隙間がある状態とされ、中間転写ベルト３４に対して非接触となっている。
【００７４】
可動案内部材９６の上流部９６Ａは、第２位置において、第１位置よりも固定案内部材９８に近づいており、固定案内部材９８との間隔（図５における上下方向の長さ）が、狭くなっている。
【００７５】
可動案内部材９６の下流部９６Ｃと取付部６７との間には、図４に示すように、下流部９６Ｃを固定案内部材９８側（図４における下側）へ付勢する付勢部材の一例としての押しばね６８が設けられている。押しばね６８の一端部は、取付部６７に取り付けられており、押しばね６８の他端部は、可動案内部材９６の下流部９６Ｃにおける取付部６７側の面（図４における上面）に取り付けられている。押しばね６８が、可動案内部材９６の下流部９６Ｃを固定案内部材９８側（図４における下側）へ押すことにより、可動案内部材９６の上流部９６Ａが取付部６７側へ付勢されている。
【００７６】
また、可動案内部材９６の上流部９６Ａと取付部６７との間には、取付部６７に取り付けられた支持部６１に回転可能に支持されたカム６９が設けられている。カム６９は、回転軸からの距離が一定でない外周面が、可動案内部材９６の上流部９６Ａにおける取付部６７側の面（図４における上面）に接触している。可動案内部材９６は、カム６９の回転位置に応じて、第１位置と第２位置との間を移動する構成となっている。すなわち、カム６９の短径側が可動案内部材９６に接触することにより、可動案内部材９６が第１位置に位置し、図４に示すように、カム６９の長径側が可動案内部材９６に接触することにより、可動案内部材９６が第２位置に位置するようになっている。
カム６９は、ステッピングモータなどの駆動部６９Ａによって、回転駆動する構成となっている。
【００７７】
また、図３に示すように、上流側案内部７４には、記録媒体Ｐの後端を検知する検知センサ８１が設けられている。検知センサ８１が記録媒体Ｐの後端を検知することにより、記録媒体Ｐがレジロール６４を抜けたことが検知される。
【００７８】
なお、中間転写ベルト３４は、第２転写位置Ｔ２から移動方向上流側に向かって、対向ロール４２と第２転写ロール６２とのニップ接線Ｓから徐々に第２転写ロール６２側に離れるように傾いている。ニップ接線Ｓとは、対向ロール４２及び第２転写ロール６２の回転中心Ｃ同士を結んだ線Ｄに直交する接線である。中間転写ベルト３４は、第２転写位置Ｔ２から移動方向上流側に向かって、ニップ接線Ｓ上を通るように構成されていてもよく、ニップ接線Ｓから徐々に対向ロール４２側に離れるように傾いていてもよい。
【００７９】
（本実施形態に係る作用）
次に、本実施形態に係る作用を説明する。
【００８０】
本実施形態に係る画像形成装置によれば、可動案内部材９６は、図３に示すように、初期位置として第１位置に位置している。第１位置では、可動案内部材９６の下流部９６Ｃは、中間転写ベルト３４に沿った方向を向いている。
【００８１】
レジロール６４によって搬送される記録媒体Ｐは、まず、上流側案内部７４の案内部材７６と案内部材７８との間を通過し、案内部材７６及び案内部材７８によって案内される。
【００８２】
案内部材７６の搬送方向下流端部７６Ａ及び案内部材７８の搬送方向下流端部７８Ａは、中間転写ベルト３４側（図３における右斜め上側）に向けられており、案内部材７６及び案内部材７８によって案内される記録媒体Ｐは、先端が中間転写ベルト３４に近づく方向（図３における右斜め上方向）へ向かう。
【００８３】
次に、記録媒体Ｐは、可動案内部材９６と固定案内部材９８との間を通過し、可動案内部材９６及び固定案内部材９８によって案内される。このとき、記録媒体Ｐは、中間転写ベルト３４に近づく方向に向かった先端が、可動案内部材９６に接触し、可動案内部材９６に沿って案内される。可動案内部材９６の下流部９６Ｃは、中間転写ベルト３４に沿った方向を向いており、この下流部９６Ｃで記録媒体Ｐの先端が案内され、記録媒体Ｐが中間転写ベルト３４に沿った向きに姿勢を変える。この姿勢で、記録媒体Ｐは第２転写位置Ｔ２に突入する。
【００８４】
このように、記録媒体Ｐは、中間転写ベルト３４に沿った向きで第２転写位置Ｔ２に突入するので、記録媒体Ｐが中間転写ベルト３４や第２転写ロール６２に突き当たることによる衝撃が低減される。特に、衝撃が発生しやすいはがき等の厚紙を記録媒体Ｐとして用いた場合も衝撃が低減される。
【００８５】
次に、記録媒体Ｐの後端がレジロール６４を抜けて、上流側案内部７４に設けられた検知センサ８１で記録媒体Ｐの後端が検知されると、カム６９が駆動部６９Ａよって回転駆動し、可動案内部材９６は第１位置から第２位置へ回転する。図５に示すように、第２位置では、可動案内部材９６の上流部９６Ａは、第１位置よりも固定案内部材９８に近づいている。
【００８６】
そして、案内部材７６及び案内部材７８の案内によって中間転写ベルト３４に近づく方向（図５における右斜め上方向）へ向かう記録媒体Ｐは、搬送方向中間部が、第２位置における可動案内部材９６の上流部９６Ａで押さえられる。これにより、記録媒体Ｐの後端が案内部材７６及び案内部材７８を抜けた際に、中間転写ベルト３４側に跳ねにくくなる。特に、こしの強いはがき等の厚紙を記録媒体Ｐとして用いた場合も、中間転写ベルト３４側への跳ねが抑制される。このように、本実施形態では、可動案内部材９６を第１位置と第２位置と変位させることで、一つの案内部材に２つの機能を持たせている。
【００８７】
なお、本実施形態では、可動案内部材９６は、回転中心よりも搬送方向上流側部分で屈曲したが、回転中心部分で屈曲していてもよく、また、回転中心よりも搬送方向下流側部分で屈曲する構成であってもよい。
【００８８】
また、可動案内部材９６及び固定案内部材９８は、屈曲されていたが、例えば、湾曲する構成であってもよく、可動案内部材９６及び固定案内部材９８は、種々の形状に構成することが可能である。
【００８９】
また、本実施形態では、レジロール６４から第２転写位置Ｔ２へ記録媒体Ｐが略水平方向（横方向）に搬送される構成において、本実施形態係る下流側案内部９４が適用されていたが、例えば、レジロール６４から第２転写位置Ｔ２へ記録媒体Ｐが上方（縦方向）に搬送される構成に適用されていてもよく、記録媒体Ｐの搬送方向は、いずれの方向であってもよい。
【００９０】
また、本実施形態では、下流側案内部９４は、２つの案内部材（可動案内部材９６・固定案内部材９８）のうち一方のみが変位する構成であったが、下流側案内部９４としては、両方の案内部材が変位する構成であってもよい。
【００９１】
具体的には、図６に示すように、変形例に係る下流側案内部９４は、固定案内部材９８に替えて、レジロール６４から搬送される記録媒体Ｐの非転写面（転写面の反対の面）に対面して記録媒体Ｐを案内する案内部材９６０（以下、可動案内部材９６０と称する）を備えている。
【００９２】
可動案内部材９６０は、図７に示すように、固定案内部材９８と同様に、搬送方向に沿った中間部９６０Ｂで屈曲しており、中間部９６０Ｂよりも搬送方向上流側の部分である上流部９６０Ａ側が、中間転写ベルト３４から離れる方向（図７における下側）に沿って形成されている。可動案内部材９６０における中間部９６０Ｂよりも搬送方向下流側の部分である下流部９６０Ｃは、対向ロール４２と第２転写ロール６２との間の第２転写位置Ｔ２に向けられている。なお、可動案内部材９６０の下流部９６０Ｃは、下流端部分において、中間転写ベルト３４から離れる方向（図７における下側）に折り曲げられている。
【００９３】
可動案内部材９６の下流部９６Ｃと可動案内部材９６０の下流部９６０Ｃとの間には、可動案内部材９６と可動案内部材９６０とを連結する連結部材９６２が設けられている。連結部材９６２は、一端が可動案内部材９６の搬送方向下流端に固定され、他端が可動案内部材９６０の搬送方向下流端に固定されている。
【００９４】
可動案内部材９６の上流部９６Ａと可動案内部材９６０の上流部９６０Ａとの間には、可動案内部材９６と可動案内部材９６０とを連結する連結部材９６３が設けられている。連結部材９６３は、一端が可動案内部材９６の搬送方向下流端に固定され、他端が可動案内部材９６０の搬送方向下流端に固定されている。
【００９５】
この構成により、可動案内部材９６が第１位置（図６に示す位置）から第２位置（図７に示す位置）へ回転するのに伴って、可動案内部材９６０も可動案内部材９６と一体に同一方向へ回転する。すなわち、可動案内部材９６０は、下流部９６０Ｃが中間転写ベルト３４側へ移動し、上流部９６０Ａが中間転写ベルト３４から離れる方向へ移動する。これにより、可動案内部材９６と可動案内部材９６０との間が狭くなることによる記録媒体Ｐの詰まりが低減される。
【００９６】
本発明は、上記の実施形態に限るものではなく、種々の変形、変更、改良が可能である。例えば、上記に示した変形例は、適宜、複数を組み合わせて構成しても良い。
【符号の説明】
【００９７】
１０   画像形成装置
１６   画像形成ユニット（画像形成部の一例）
３４   中間転写ベルト（転写体の一例）
６４   レジロール（搬送部材の一例）
７４   上流側案内部（案内部の一例）
９６   可動案内部材（第２案内部材の一例）
９８   固定案内部材（第１案内部材の一例）
【図１】
0005853380.tif 000002
【図２】
0005853380.tif 000003
【図３】
0005853380.tif 000004
【図４】
0005853380.tif 000005
【図５】
0005853380.tif 000006
【図６】
0005853380.tif 000007
【図７】
0005853380.tif 000008
【図８】
0005853380.tif 000009